(57)【要約】【課題】防水性を確保しながらも結露の発生を防止することができる照明器具を提供する。【解決手段】発光ダイオード１０が実装された基板１と、ガラスからなり前後に長い直方体形状であって基板１が収納される収納凹部２０が右面に開口した透光ケース２とを備える。収納凹部２０内には透明な充填材３が充填され、これによって発光ダイオード１０が封止されて防水性が確保されると同時に収納凹部２０内での結露の発生を防止することができる。【選択図】図１
2008243502.tif 000002
【特許請求の範囲】
【請求項１】
透光性を有する材料からなり収納凹部が設けられた透光ケースと、
透光ケースの収納凹部に収納された発光ダイオードと、
透光性を有する材料からなり透光ケースの収納凹部に充填されて発光ダイオードを封止する充填材とを備えることを特徴とする照明器具。
【請求項２】
透光ケースにおいて少なくとも使用状態で露出する部位が強化ガラスで構成されていることを特徴とする請求項１記載の照明器具。
【発明の詳細な説明】
【技術分野】
【０００１】
本発明は、特に防水性を要求される場所で用いられる照明器具に関するものである。
【背景技術】
【０００２】
従来から、プール用照明など、特に防水性を要求される場所で用いられる照明器具として、光源が収納された空間を密閉したものが提供されている（例えば、特許文献１参照）。
【０００３】
この種の照明器具として、図４に示すように、光源としてのランプＬａと、ランプＬａが収納される収納凹部Ｈ１が設けられた器具本体Ｈと、収納凹部Ｈ１の開口の周囲において器具本体Ｈ１に連結されランプＬａの光を通す貫通穴Ｃ１が設けられた環形状のカバーＣと、例えばガラスのような透光性を有する材料からなり扁平な形状であって周縁部を器具本体ＨとカバーＣとの間に挟持されてカバーＣの貫通穴Ｃ１を閉塞する扁平な透光カバーＧとを備えるものがある。透光カバーＧには、例えば合成ゴムのような柔軟な材料からなり透光カバーＧを全周にわたって厚さ方向の両側から挟む形状のパッキンＰが取り付けられており、透光カバーＧとカバーＣとの間の隙間や、透光カバーＧと器具本体Ｈとの間の隙間がパッキンＰによって閉塞され、収納凹部Ｈ１が密閉されるようになっている。
【０００４】
また、光源として、上記のランプＬａに代え、図５に示すように、基板１に実装された発光ダイオードを用いることも提案されている。
【特許文献１】特開平８−９６６１１号公報
【発明の開示】
【発明が解決しようとする課題】
【０００５】
しかし、上記従来の構造では、カバーＣを器具本体Ｈに対してねじ止めするねじを締め付けることによりパッキンＰを潰して上記の隙間を閉塞するようになっており、上記ねじの締め付けの際に透光カバーＧと光源との間の距離が僅かながら変化するため、透光性を有する充填材を透光カバーＧと光源との間に充填して結露の発生を防ぐことが困難であった。
【０００６】
本発明は、上記事由に鑑みて為されたものであり、その目的は、防水性を確保しながらも結露の発生を防ぐことができる照明器具を提供することにある。
【課題を解決するための手段】
【０００７】
請求項１の発明は、透光性を有する材料からなり収納凹部が設けられた透光ケースと、透光ケースの収納凹部に収納された発光ダイオードと、透光性を有する材料からなり透光ケースの収納凹部に充填されて発光ダイオードを封止する充填材とを備えることを特徴とする。
【０００８】
この発明によれば、透光ケースの収納凹部に充填材を充填することにより、防水性を確保しながらも結露の発生を防ぐことができる。
【０００９】
請求項２の発明は、請求項１の発明において、透光ケースにおいて少なくとも使用状態で露出する部位が強化ガラスで構成されていることを特徴とする。
【００１０】
この発明によれば、透光ケースの全体を通常のガラスで構成する場合に比べ、機械的強度が向上する。
【発明の効果】
【００１１】
請求項１の発明によれば、透光ケースに設けられて発光ダイオードが収納された収納凹部に充填された充填材により、防水性を確保しながらも結露の発生を防ぐことができる。
【００１２】
請求項２の発明は、透光ケースにおいて少なくとも使用状態で露出する部位が強化ガラスで構成されていることにより、透光ケースの全体を通常のガラスで構成する場合に比べ、機械的強度が向上する。
【発明を実施するための最良の形態】
【００１３】
以下、本発明を実施するための最良の形態について、図面を参照しながら説明する。
【００１４】
本実施形態は、図１及び図２に示すように、基板１に実装された表面実装型の発光ダイオード１０を光源とする照明器具である。以下、上下左右は図１を基準とし、図２の左下−右上方向（図１の紙面に直交する方向）を前後方向と呼ぶ。なお、これらの方向はあくまで説明の便宜上のものであり、実際の設置の向きとは必ずしも一致しない。
【００１５】
本実施形態は、ガラスからなり前後に長い直方体形状であって基板１が収納される収納凹部２０が右面に開口した透光ケース２を備える。基板１は、発光ダイオード１０が実装された面を上向きとして収納凹部２０に収納される。さらに、収納凹部２０内には、例えばシリコン樹脂のような透明な充填材３が充填され、これによって基板１及び発光ダイオード１０がそれぞれ封止されて防水性が確保されるとともに収納凹部２０内での結露の発生が防止される。
【００１６】
また、透光ケース２を収納する外郭４を備える。外郭４は、透光ケース２の下側に配置されるベース５と、透光ケース２の上側に配置されるカバー６と、透光ケース２の右側に配置されて発光ダイオード１０への給電用の電線（図示せず）が挿通される通線部材７と、前後に並べて２個設けられそれぞれベース５とカバー６との右側にねじ止め固定されて通線部材７を透光ケース２に押し付ける押さえ部材８とで構成されている。ベース５、カバー６、押さえ部材８はそれぞれ例えば金属板に打ち抜き加工と曲げ加工とが施されてなる。
【００１７】
詳しく説明すると、ベース５は、下方から見て透光ケース２を覆う長方形状の本体部５１と、本体部５１の前後両端からそれぞれ上方に突設されて透光ケース２を挟んで前後に対向し前後方向の外側から見て透光ケース２を覆う２個の端壁５５と、本体部５１の左端から上方へ突設され突出寸法が端壁５５よりも小さい側壁５３と、側壁５３の上端から左方に突設された結合部５４とを有する。
【００１８】
カバー６は、透光ケース２の上面に対向する長方形状の本体部６１と、本体部６１の左端から下方に突設された側壁６３と、側壁６３の下端から左方に突設された結合部６４と、結合部６４の左端から下方に突設された位置決め部６５とを有する。カバー６の本体部６１には、発光ダイオード１０の光を通過させるための長方形状の窓穴６１ａが貫設されている。カバー６は、結合部６４がベース５の結合部５４にねじ止めされることによってベース５に機械的に結合する。ここで、側壁５３，６３からの結合部５４，６４の突出寸法はベース５とカバー６とで略共通となっており、ベース５とカバー６とを互いに結合させる際には、カバー６の位置決め部６５の右面をベースの結合部５４の先端に当接させることで、カバー６をベース５に対して位置決めすることができる。
【００１９】
通線部材７は、透光ケース２の左面に対向する長方形状の本体部７１を有する。本体部７１の中央部には、発光ダイオード１０への給電用の電線が挿通される電線挿通穴７１ａが左右に貫設されている。また、通線部材７は、本体部７１の右面に突設された円筒形状であって電線挿通穴７１ａに連通する電線挿通部７２を有する。
【００２０】
各押さえ部材８は、それぞれ、断面が右向きに開口したコ字形状の押さえ部８１と、押さえ部８２の右端から上下方向の外向きに突設された２個のねじ止め部８２とを有する。ベース５とカバー６とは、それぞれ本体部５１，６１の右端から前後に並べて２個、上下方向の内向きに突設されたねじ止め部５２，６２を有する。各押さえ部材８は、それぞれ下側のねじ止め部８２をベース５のねじ止め部５２にねじ止めされるとともに、上側のねじ止め部８２をカバー６のねじ止め部６２にねじ止めされることにより、ベース５とカバー６とに取り付けられる。ここで、ベース５とカバー６とが結合される際、通線部材７は、本体部７１が透光ケース２の右面とベース５及びカバー６のねじ止め部５２，６２の左面との間に挟まれるように組み付けられる。そして、押さえ部材８を取り付ける上記ねじが締め付けられると、通線部材７の本体部７１は、電線挿通部７２の前後両側においてそれぞれ押さえ部材８の押さえ部８１により右側から押されつけられる。
【００２１】
さらに、本実施形態は、それぞれ例えばエラストマのような柔軟な材料からなり透光ケース２を左右から挟む形で配置され外郭４の内面と透光ケース２との間に介在して透光ケース２のがたつきを防止する２個のパッキン９を備える。各パッキン９は、それぞれ、左右方向の内向きに開口して透光ケース２が嵌合する有底角筒形状に形成されている。また、各パッキン９においてそれぞれ上下の壁にはそれぞれ切り欠き９１が設けられており、これによって、各パッキン９を変形させて透光ケース２に組み付ける作業が容易となっている。さらに、各パッキン９の底面にはそれぞれ長方形状の貫通穴９０が左右に貫設されており、発光ダイオード１０への給電用の電線は、右側のパッキン９に設けられた貫通穴９０を通じて通線部材７の電線挿通穴７１ａに導入される。
【００２２】
上記構成によれば、透光ケース２に設けた収納凹部２０に発光ダイオード１０を収納していることにより、収納凹部２０に充填材３を充填して防水性を確保しながらも、結露の発生が防止されている。
【００２３】
また、従来例において器具本体Ｈを絞り加工によって形成する場合に比べ、本実施形態は、形状の自由度が高くなっており、細長いコンパクトな形状とすることが可能となっている。
【００２４】
なお、図３に示すように、透光ケース２において使用状態で露出する上面を構成する直方体形状であって発光ダイオード１０の光が主に通過する透光カバー２ａと、透光カバー２ａに接合される透光ベース２ｂとの２部品で透光ケース２を構成するとともに、透光カバー２ａを強化ガラス製としてもよい。この構成を採用すれば、通常のガラスで透光ケース２全体を形成する場合に比べて機械的強度が向上する。
【図面の簡単な説明】
【００２５】
【図１】本発明の実施形態を示す断面図である。
【図２】同上を示す分解斜視図である。
【図３】同上の別の形態を示す断面図である。
【図４】従来例を示す断面図である。
【図５】別の従来例を示す断面図である。
【符号の説明】
【００２６】
１  基板
２  透光ケース
３  充填材
１０  発光ダイオード
【図１】
2008243502.tif 000003
【図２】
2008243502.tif 000004
【図３】
2008243502.tif 000005
【図４】
2008243502.tif 000006
【図５】
2008243502.tif 000007